(57)【特許請求の範囲】
【請求項１】
前面の上半部に四角形の窓を有する収納箱と、
垂直状態である待機状態で収納箱の窓を遮蔽するに十分な面積を有する平面形状を有し、水平状態である受取位置で収納箱の前面前方へ突出して収納箱の窓の下縁前方に水平方向の受台を形成する、荷物等受取用の第１シヤッター板と、
左右一対の半遮蔽板で構成して収納箱の窓を遮蔽するに十分な面積を有し、第１シヤッター板の待機状態で収納箱の内部に位置するとともに第１シヤッター板の受取位置で収納箱の窓を遮蔽する、盗難防止用の第２シヤッター板と、を有し、
第１シヤッター板の下部両端部に直立状態で支軸を固定し、該支軸に各半遮蔽板における収納箱の側面側の端縁部を遊合状態で支持して、
第１シヤッター板の待機状態で各半遮蔽板を収納箱の側面側へ回動させることにより、第１シヤッター板の遮蔽位置で第２シヤッター板の各半遮蔽板を自動的に下向位置として第２シヤッター板を開口状態とするとともに、
第２シヤッター板の両半遮蔽板の側方延長部分をＬ状に折曲げてロック片を形成し、
収納箱の前面板に水平に突出させて固定した支軸に挿入して遊転自在とした転輪を設け、
前記転輪を、前記ロック片と接当させて、第１シヤッター板の受取位置で第２シヤッター板を遮蔽位置にロックし、
第１シャーター板の開閉操作に際し、転輪とのロック片の接触位置を変化させて第２シヤッター板の姿勢変化を誘導して、第２シヤッター板の開口度合いを制御し、第１シヤッター板の開閉操作に際し、第２シャーター板の半開状態での収納箱内の商品の取出しを阻止することを特徴とする、宅配便等の無人受取装置。
【発明の詳細な説明】
【０００１】
【産業上の利用分野】
本発明は、宅配便等の無人受取装置に関する。より詳しくは、宅配便等の配達にあたり留守宅に対し荷物の持ち帰り再配達を不用とするための、留守宅における宅配便等の受取装置に関するものである。
【０００２】
【従来の技術】
この種の宅配便等の無人受取装置として、コインロッカー方式のものが公知である。即ち、コインロッカー方式の受取箱を各個人宅の玄関、マンションの廊下等に設置して、宅配業者等が宅配貨物を受取箱に収納ののち施錠して配達完了とし、各個人が所持するキーにより受取箱の扉を開いて受取る方式である。他の方式として投入方式がある。大形の郵便受取箱として上部開口、開閉窓等より大形郵便物、宅配貨物を受取る方式である。
【０００３】
【発明が解決しようとする課題】
上記の公知技術においては、前者のコインロッカー方式は、一回の配達で施錠する必要があるため、多数の受取箱を用意する必要がある。自動施錠式ではいたずらで空の状態で施錠されるおそれがあり、マスターキー施錠式では宅配業者が特定されることで宅配業者毎の多数の受取箱を必要とする。後者の投入方式は、多数の大形郵便物、貨物を受取ることができるが、宅配貨物がワレモノ注意の貨物（例えば、陶磁器、電気精密機器等）には破損のおそれがあり適用できない問題点がある。また、上部開口、開閉窓より内部に収納された受取貨物を取出されるおそれがあり、受取貨物に対する盗難防止対策が不十分である問題点がある。よって、本発明は、宅配便等の無人受取装置において、宅配業者の特定することなく且つ複数の貨物を受取可能とするとともに、受取貨物に対する盗難防止対策を完全にすることを課題とする。
【０００４】
【課題を解決するための手段】
本願発明の宅配便等の受取装置は、前面の上半部に四角形の窓を有する収納箱と、垂直状態である待機状態で収納箱の窓を遮蔽するに十分な面積を有する平面形状を有し、水平状態である受取位置で収納箱の前面前方へ突出して収納箱の窓の下縁前方に水平方向の受台を形成する、荷物等受取用の第１シヤッター板と、左右一対の半遮蔽板で構成して収納箱の窓を遮蔽するに十分な面積を有し、第１シヤッター板の待機状態で収納箱の内部に位置するとともに第１シヤッター板の受取位置で収納箱の窓を遮蔽する盗難防止用の第２シヤッター板と、を有し、第１シヤッター板の下部両端部に直立状態で支軸を固定し、該支軸に各半遮蔽板における収納箱の側面側の端縁部を遊合状態で支持して、第１シヤッター板の待機状態で各半遮蔽板を収納箱の側面側へ回動させることにより、第１シヤッター板の遮蔽位置で第２シヤッター板の各半遮蔽板を自動的に下向位置として第２シヤッター板を開口状態とするとともに、第２シヤッター板の両半遮蔽板の側方延長部分をＬ状に折曲げてロック片を形成し、収納箱の前面板に水平に突出させて固定した支軸に挿入して遊転自在とした転輪を設け、前記転輪を、前記ロック片と接当させて、第１シヤッター板の受取位置で第２シヤッター板を遮蔽位置にロックして、第１シャーター板の開閉操作に際し、転輪とのロック片の接触位置を変化指せて第２シヤッター板の姿勢変化を誘導して、第２シヤッター板の開口度合いを制御して、第１シヤッター板の開閉操作に際し、第２シャーター板の半開状態での収納箱内の商品の取出しを阻止することを特徴とする。
【０００５】
【実施例】
以下図面に示す実施例にもとづいて、本発明を詳細に説明する。図１ないし図７を参照して、本発明の宅配便等の無人受取装置は、前面の上半部に四角形の窓１０を有する収納箱１と、待機状態Ｐで収納箱の窓１０を遮蔽し受取位置Ｑで収納箱の前面前方へ突出して収納箱の窓の下縁前方に水平方向の受台を形成する第１シヤッター板２と、第１シヤッター板２の待機状態Ｐで収納箱の内部に位置するとともに第１シヤッター板の受取位置Ｑで収納箱の窓１０を遮蔽する第２シヤッター板３とを設ける。
【０００６】
本発明の宅配便等の無人受取装置は、図１２を参照して、常時は第１シヤッター板２を待機状態Ｐに位置させて、収納箱１の窓１０を第１シヤッター板１で遮蔽して収納箱内の商品の取出しを阻止する。即ち、第１シヤッター板２を収納箱１の窓１０に対する遮蔽板として機能させる。第１シヤッター板の受取位置Ｑでは、図１３を参照して、収納箱１の窓１０を第２シヤッター板３で遮蔽する。即ち、第２シヤッター板３を収納箱１の窓１０に対する遮蔽板として機能させる。なお、第１シヤッター板２の受取位置Ｑでは、第１シヤッター板２は収納箱１の窓１０の下端前方に水平方向に位置して宅配便等の商品の受台として機能する。
【０００７】
図４ないし図１１を参照して、本願第２発明の宅配便等の無人受取装置を説明する。第２シヤッター板３は左右一対の半遮蔽板３Ａで構成し、第１シヤッター板２と第２シヤッター板３とは、連結支持具５（図４および図５参照）を介して連結する。連結支持具５は、左右一対の支軸５１を連結板５２の下部両端部に直立状態で固定し、連結板５２の上端部を第１シヤッター板２に溶接により固定して、支軸５１を第１シヤッター板２の下部両端部に直立させ、第１シヤッター板２と支軸５１とを側面視で９０度の相対角度とする。第１シヤッター板２の下部両端部に筒体２１を溶着し筒体２１に挿入した支軸２０を収納箱１の窓１０の下端部の近傍に固定した軸受２２により回動自在に支持することにより、第１シヤッター板２を、収納箱１の窓１０の下端部の近傍を支点として、収納箱１の窓１０と平行の水平位置と窓１０の下端より突出する水平位置とに変更自在とする。
【０００８】
第１シヤッター板２の遮蔽位置で第２シヤッター板３を開口状態とするための、第２シヤッター板３の半遮蔽板３Ａに対する支持構造の実施例を、図６および図７を参照して説明する。第２シヤッター板３の両半遮蔽板３Ａの側方延長部分をＬ状に折曲げてロック片４１を形成し、ロック片４１にロック体４を作用させることで、第２シヤッター板３を開口自在とする。半遮蔽板３Ａの側縁とロック片４１の上端とに隣接して筒体４２を溶着し、連結支持具５の支軸５１に前記該筒体４２を挿入して遊合状態で半遮蔽板３Ａを支持して、半遮蔽板３Ａを支軸５１を支点として水平状態より垂直状態へ回動自在とする。
【０００９】
図８ないし図１１に示す実施例においては、ロック体４は、収納箱の前面板１ａに内側へ水平に突出させて支軸４０を固定し、該支軸４０に挿入して遊転自在としたゴム製の転輪4Ａで構成する。転輪4Ａは、第１シヤッター板２の受取位置Ｑで第２シヤッター板３を遮蔽位置にロックする。図８および図９を参照して、転輪4Ａは、受取位置Ｑでは、垂直状態の支軸５１により垂直状態に維持されているロック片４１の外側面と接当することで、第２シヤッター板３の内方への回動を阻止して収納箱の窓１０を遮蔽状態を確保している。
【００１０】
第１シヤッター板２の遮蔽位置Ｐでは、図１０および図１１を参照して、転輪4Ａは、遮蔽位置Ｐで水平状態の支軸５１によりほぼ垂直状態に維持されているロック片４１の下面と接当することで、第２シヤッター板３を開口状態に維持している。なお、転輪4Ａは、第１シヤッター板２の遮蔽位置Ｐからへ受取位置Ｑへの回動に際し、支軸５１が水平状態［図１２において実線位置（ニ）］より、傾斜状態（ロ）、（ハ）、垂直状態［図１３において実線位置（イ）］に変化することで、支軸５１により支持されている第２シヤッター板３およびロック片４１の姿勢が変更するにあたり、ロック片４１との接触位置が変化して、第２シヤッター板３の姿勢変化を誘導する。
【００１１】
図１４ないし図１７を参照して、待機状態（第１シヤッター板２の遮蔽位置Ｐ）と受取状態（第１シヤッター板２の受取位置Ｑ）との間における第１シヤッター板２および第２シヤッター板３の位置変化を示し、図１４の待機状態においては、第１シヤッター板２は垂直位置にあって窓１０を塞さぐ遮蔽位置Ｐである。図１４の遮蔽位置Ｐより第１シヤッター板２をわずかに手前へ回動すると、第２シヤッター板３は垂直位置の全開状態より、図１５に示す、僅かに開口した半開状態となる。つづいて僅かだけ第１シヤッター板２を回動すると、図１６に示す、全閉状態となる。更に回動して図１７に示す第１シヤッター板２の受取位置Ｑとすると、第２シヤッター板３は収納箱の前面板１ａと接当して前面板１ａの窓１０を遮蔽する。図１７の状態で荷物を第１シヤッター板２に載置したのち、第１シヤッター板２を遮蔽位置Ｐへ図１６および図１５の状態を経て回動し、第２シヤッター板３を図１４の開口状態とすることにより、荷物を収納箱内に収納するが、その際、図１６の僅かに開いた状態まで第２シヤッター板３を全閉状態とすることで、既に収納箱内に収納している商品の取出しを阻止する。
【００１２】
【発明の効果】
本発明は、常時は第１シヤッター板を待機状態に位置させて、収納箱の窓を第１シヤッター板で遮蔽して収納箱内の商品の取出しを阻止し、第１シヤッター板の受取位置では収納箱の窓を第２シヤッター板で遮蔽して、第１シャーターの回動による商品の投入に際しては自動的に第２シヤッター板は開口して商品を収納箱内の下半部へ収納し、そののち通常位置へ復帰して収納箱１の窓１０を遮蔽して収納箱内の商品の取出しを阻止するものであるから、窓１０からの商品の取出しを阻止するための施錠機構が不用である。
更に、本願発明は、第２シヤッター板の両半遮蔽板の側方延長部分をＬ状に折曲げてロック片を形成し、収納箱の前面板に水平に突出させて固定した支軸に挿入して遊転自在とした転輪を設け、前記転輪を、前記ロック片と接当させて、第１シヤッター板の受取位置で第２シヤッター板を遮蔽位置にロックし、第１シャーター板の開閉操作に際し、転輪とのロック片の接触位置を変化させて第２シヤッター板の姿勢変化を誘導して、第２シヤッター板の開口度合いを制御し、第１シヤッター板の開閉操作に際し、第２シャーター板の半開状態での収納箱内の商品の取出しを阻止するものであるから、本願発明は、複数個の商品を収納可能として複数の宅配業者等に対応した収納箱であるが、収納箱内に収納された商品の取出しを確実に阻止し、受取貨物に対する盗難防止対策を高めて、この種の宅配便等の無人受取装置の実用性、利用効果を増進する効果を有するものである。
【図面の簡単な説明】
【図１】本発明の実施例を示す宅配便等の無人受取装置の正面図
【図２】同じく縦断面
【図３】同じく横断面
【図４】第１シヤッター板および連結支持具の正面図
【図５】同じく側面面
【図６】第２シヤッター板の正面図
【図７】同じく横断面
【図８】第２シヤッター板の遮断位置における、第２シヤッター板とロック体（転輪）の位置関係の説明図で、収納箱の正面視で示す。
【図９】同じく説明図で、第２シヤッター板を断面して収納箱の平面視で示す。
【図１０】第２シヤッター板の開口位置における、第２シヤッター板とロック体（転輪）の位置関係の説明図で、収納箱の平面視で示す。
【図１１】同じく説明図で、第２シヤッター板を断面して収納箱の正面視で示す。
【図１２】第１シヤッター板２の遮蔽位置Ｐから受取位置Ｑへの回動に際し、支軸５１の姿勢変化の説明図で、ａ図はｂ図の実線位置に対応する正面視、ｂ図は側面視で実線位置ニは遮蔽位置Ｐを仮想線位置は受取位置Ｑにおける第１シヤッター板２および支軸５１を示す。
【図１３】第１シヤッター板２の遮蔽位置Ｐから受取位置Ｑへの回動に際しての、支軸５１、第２シヤッター板３およびロック片４１の姿勢変化の説明図で、ａ図は正面視、ｂ図は側面視で図１２のｂ図と同様である。
【図１４】待機状態においる第１シヤッター板２（垂直状態の遮蔽位置Ｐ）と第２シヤッター板３（垂直位置の全開状態）を示す斜視図。
【図１５】図１３の遮蔽位置Ｐより第１シヤッター板２をわずかに手前へ回動し、第２シヤッター板３を垂直位置の全開状態より僅かに開口した半開状態で示す斜視図。
【図１６】図１３の状態よりつづいて僅かだけ第１シヤッター板２を回動し、第２シヤッター板３を全閉状態とした斜視図。
【図１７】受取り状態においる第１シヤッター板２（水平状態の受取位置Ｑ）と第２シヤッター板３（垂直位置の全閉状態）を示す斜視図。
【符号の説明】
１ 収納箱    ２ 第１シヤッター板    ３ 第２シヤッター板    ３Ａ 半遮蔽板
４Ａ  転輪
【図１】
0003817636.tif 000002
【図２】
0003817636.tif 000003
【図３】
0003817636.tif 000004
【図４】
0003817636.tif 000005
【図５】
0003817636.tif 000006
【図６】
0003817636.tif 000007
【図７】
0003817636.tif 000008
【図８】
0003817636.tif 000009
【図９】
0003817636.tif 000010
【図１０】
0003817636.tif 000011
【図１１】
0003817636.tif 000012
【図１２】
0003817636.tif 000013
【図１３】
0003817636.tif 000014
【図１４】
0003817636.tif 000015
【図１５】
0003817636.tif 000016
【図１６】
0003817636.tif 000017
【図１７】
0003817636.tif 000018